(57)【要約】【課題】プリンタに設けられたカバーを開放または閉鎖するときの操作性を高めること。【解決手段】一実施形態に係るプリンタは、第１係合部が設けられた筐体と、筐体を閉鎖または開放し、第２係合部が設けられたカバーと、印字ヘッドを搬送ローラに押圧するための付勢力を与える付勢部材と、前記付勢部材の付勢力に対する反発力を利用して、筐体を開放したカバーに対する押下操作によって第１係合部と第２係合部をロックさせて筐体を閉鎖し、筐体を閉鎖したカバーに対する押下操作によって第１係合部と第２係合部のロックを解除させて筐体を開放するカバーロック機構と、を備える。【選択図】図４
2020128095.tif 000002
【特許請求の範囲】
【請求項１】
第１係合部が設けられた筐体と、
前記筐体を閉鎖または開放し、第２係合部が設けられたカバーと、
印字媒体を搬送する搬送ローラと、
前記搬送ローラに対向して設けられ、前記印字媒体に印字を行う印字ヘッドと、
前記印字ヘッドを前記搬送ローラに押圧するための付勢力を与える付勢部材と、
前記付勢部材の付勢力に対する反発力を利用して、前記筐体を開放した前記カバーに対する押下操作によって前記第１係合部と前記第２係合部をロックさせて前記筐体を閉鎖し、前記筐体を閉鎖した前記カバーに対する押下操作によって前記第１係合部と前記第２係合部のロックを解除させて前記筐体を開放するカバーロック機構と、を備えたプリンタ。
【請求項２】
前記カバーが前記筐体を閉鎖するときには、前記付勢部材の付勢力に対する反発力によって前記第１係合部と前記第２係合部のロックが維持される、請求項１に記載のプリンタ。
【請求項３】
前記第１係合部は、係合溝を有し、
前記第２係合部は、前記係合溝内を移動可能な係合体を有し、
前記カバーが前記筐体を開放しているときに、前記カバーに対する押下操作によって、前記係合体が前記付勢力に対する反発力によって前記係合溝内のロック位置に押圧された状態となったとき、前記第１係合部と前記第２係合部のロックが維持される、請求項２に記載のプリンタ。
【請求項４】
前記カバーが前記筐体を開放するときには、前記付勢部材の付勢力に対する反発力に対抗する、前記カバーに対する押下操作によって、前記第１係合部と前記第２係合部のロックが解除される、請求項１に記載のプリンタ。
【請求項５】
前記第１係合部は、係合溝を有し、
前記第２係合部は、前記係合溝内を移動可能な係合体を有し、
前記カバーが前記筐体を閉鎖しているときに、前記係合体を前記係合溝内のロック位置に押圧する前記付勢力に対する反発力に対抗する、前記カバーに対する押下操作によって、前記第１係合部と前記第２係合部のロックが解除される、請求項４に記載のプリンタ。
【請求項６】
前記カバーによって前記筐体を開放した状態から閉鎖した状態へ移行するまでの間に、前記搬送ローラを順方向に回転させるローラ回転機構を備えたことを特徴とする、請求項１ないし５に記載されたプリンタ。
【請求項７】
前記カバーの上面に設けられたタッチパネルと、
前記タッチパネルに対するタッチ入力が行われているか否かを検出する検出部と、
前記検出部によってタッチ入力が行われていることが検出された場合、前記第１係合部と前記第２係合部の係合が解除されないように制御する制御部と、
をさらに備えたことを特徴とする、請求項１ないし６に記載されたプリンタ。
【発明の詳細な説明】
【技術分野】
【０００１】
本発明は、プリンタに関する。
【背景技術】
【０００２】
従来、プリンタに設けられたカバーを開閉させる場合、ユーザが操作レバーやボタンを操作する必要があった。例えば、特許文献１のプリンタのロック機構では、上部カバーを開く場合に、操作レバーを把持し、所定の方向へ引き寄せる必要があった。また、特許文献２のプリンタカバーのロック装置では、カバーを開けるときには、解除ボタンを押下する必要があった。
【先行技術文献】
【特許文献】
【０００３】
【特許文献１】特開２０１１−０３７０５８号公報
【特許文献２】特開平１０−１１４１２９号公報
【発明の概要】
【発明が解決しようとする課題】
【０００４】
ところで、近年、特定の操作レバーやボタンを操作することなく、カバー自体に直接操作することによってカバーの開閉が可能となる利便性の高いプリンタが要請されている。
別の観点では、カバーの開閉のための操作レバーやボタンを設けた場合、プリンタの使用環境によっては、防水対策の観点から操作レバーやボタンに対する防水シールが必要となり、コスト増加の要因となり得る。また、カバーの表面にディスプレイパネルを設置する場合には、操作レバーやボタンを設けることでパネルサイズの低下を余儀なくされることもある。
【０００５】
そこで、本開示は、プリンタに設けられたカバーを開放または閉鎖するときの操作性を高めることを目的とする。
【課題を解決するための手段】
【０００６】
本開示の一観点は、第１係合部が設けられた筐体と、
前記筐体を閉鎖または開放し、第２係合部が設けられたカバーと、
印字媒体を搬送する搬送ローラと、
前記搬送ローラに対向して設けられ、前記印字媒体に印字を行う印字ヘッドと、
印字ヘッドを搬送ローラに押圧するための付勢力を与える付勢部材と、
前記付勢部材の付勢力に対する反発力を利用して、前記筐体を開放した前記カバーに対する押下操作によって前記第１係合部と前記第２係合部をロックさせて前記筐体を閉鎖し、前記筐体を閉鎖した前記カバーに対する押下操作によって前記第１係合部と前記第２係合部のロックを解除させて前記筐体を開放するカバーロック機構と、
を備えたプリンタである。
【発明の効果】
【０００７】
本開示に係るプリンタによれば、プリンタに設けられた開閉カバーを開放または閉鎖するときの操作性を高めることができる。
【図面の簡単な説明】
【０００８】
【図１】実施形態に係るプリンタについて、開閉カバーが開放状態である場合を示す斜視図である。
【図２】実施形態に係るプリンタについて、開閉カバーが閉鎖状態である場合を示す斜視図である。
【図３】実施形態に係るプリンタの主要部分についての側面図である。
【図４】実施形態に係るプリンタにおいて、開閉カバーを閉鎖状態とするときの斜視拡大図である。
【図５】開閉カバーを閉鎖させるときの係合ピンと係合溝の係合状態を説明する図である。
【図６】開閉カバーを閉鎖させるときの係合ピンと係合溝の係合状態を説明する図である。
【図７】開閉カバーが閉鎖した状態での係合ピンと係合溝の係合状態を説明する図である。
【図８】開閉カバーを開放させるときの係合ピンと係合溝の係合状態を説明する図である。
【図９】開閉カバーを開放させるときの係合ピンと係合溝の係合状態を説明する図である。
【図１０】実施形態の変形例において、係合ピンのセルフセンタリング機能について説明する図である。
【図１１】実施形態の変形例において、係合ピンと係合溝の係合状態を説明する図である。
【発明を実施するための形態】
【０００９】
（１）プリンタの構成
以下、本実施形態に係るプリンタについて、図１〜図３を参照して説明する。
図１は、本実施形態に係るプリンタ１について、開閉カバー３が開放状態である場合を示す斜視図である。図２は、実施形態に係るプリンタ１について、開閉カバー３が閉鎖状態である場合を示す斜視図である。図３は、本実施形態に係るプリンタ１の主要部分についての側面図である。
【００１０】
本実施形態のプリンタ１は、図１および図２に示すように、例えば、概ね直方体形状に形成された携帯型のラベルプリンタであり、筐体２と、開閉カバー３と、プラテンローラ５と、サーマルヘッド６とを備える。
【００１１】
以下の説明では、直方体形状のプリンタ１の長辺に沿った方向を前後方向と定義する。このとき、図１に示すように、シャフト１２からプラテンローラ５の側に向かう方向を前方（ＦＲ）と定義し、その反対側を後方（ＲＲ）と定義する。図１において、後方（ＲＲ）から前方（ＦＲ）を見たときに左側をＬＨと定義し、右側をＲＨと定義する。
【００１２】
筐体２は、プリンタ１の外形形状に合わせて形成されている。
図１に示すように、開閉カバー３が開放状態のときには、ロール紙Ｒの収容室ＲＳに対して外部からアクセス可能となる。収容室ＲＳは、ロール紙Ｒを収容する空間である。ロール紙Ｒは、帯状の連続紙Ｐがロール状に巻回されたものである。本実施形態のプリンタ１では、ロール紙Ｒから連続紙Ｐが繰り出されて印字が行われる。なお、連続紙Ｐが、帯状の台紙と、台紙上に予め決められた間隔毎に仮着された複数枚のラベルとを備えていてもよい。その場合には、ラベル上に印字が行われる。
【００１３】
前述したように、開閉カバー３は、収容室ＲＳを開放または閉鎖する（つまり、筐体２を開放または閉鎖する）ためのカバーである。開閉カバー３の前方端が筐体２に対して離間および接近する方向に揺動可能なように、開閉カバー３の後方端が筐体２の後方端部においてシャフト１２によって軸支されている。
【００１４】
図１に示すように、筐体２の前方には、プラテンローラ（搬送ローラ）５が正逆方向に回動自在の状態で軸支されている。プラテンローラ５は、ロール紙Ｒから繰り出される連続紙Ｐを搬送する搬送手段であり、連続紙Ｐの幅方向に沿って延在した状態で形成されている。なお、プラテンローラ５は、ステッピングモータ（図示せず）等に機械的に連結されて駆動される。
【００１５】
図２に示すように、開閉カバー３が閉鎖した状態において、開閉カバー３の上面にはタッチパネル３ａが設けられており、タッチパネル３ａを介してユーザに対する入出力インタフェースが提供される。
【００１６】
サーマルヘッド６は、例えば、文字、記号、図形またはバーコード等のような情報を、ロール紙Ｒから繰り出される連続紙Ｐ上に印字する印字手段である。図３に示すように、開閉カバー３が閉鎖状態のときに、サーマルヘッド６の印字面が通紙ルートに向き、かつプラテンローラ５に対向するようにしてサーマルヘッド６が設けられている。サーマルヘッド６の印字面には、通電により発熱する複数の発熱抵抗体（発熱素子）が連続紙Ｐの幅方向に沿って並んで設置されている。サーマルヘッド６は、サーマルヘッド６に印字信号を伝送する配線基板（図示せず）に接続されている。
【００１７】
本実施形態のプリンタ１では、開閉カバー３の開放または閉鎖が、開閉カバー３の上面に対する押下操作（つまり、ワンタッチ操作）で行われ、開閉カバー３の開放または閉鎖のための操作レバーや操作釦は設けられていない点に特徴がある。開閉カバー３の上面に対する押下操作は、開閉カバー３の上面の任意の位置に対する操作でよい。
開閉カバー３が閉鎖しているときには、開閉カバー３の係合部材３０Ｒ，３０Ｌ（以下適宜、総称して、あるいは個別に「係合部材３０」と表記する。）がそれぞれ、筐体２の側壁２ｗに設けられた係合溝２０Ｒ，２０Ｌ（以下適宜、総称して、あるいは個別に「係合溝２０」と表記する。）とロックした状態となる。係合溝２０は第１係合部の一例であり、係合部材３０は第２係合部の一例である。
係合部材３０と係合溝２０のロック、および、ロックの解除については、後述する。
【００１８】
図１には図示されていないが、サーマルヘッド６の裏側にはサーマルヘッド６をプラテンローラ５に押圧するための付勢力を与える付勢部材としてのコイルばね６１（図３参照）が設けられている。
図３を参照すると、開閉カバー３が閉鎖され、印字が行われているときには、ロール紙Ｒから繰り出される連続紙Ｐがプラテンローラ５によって搬送されつつ、プラテンローラ５とサーマルヘッド６の間で挟持される。このとき、サーマルヘッド６は、コイルばね６１の付勢力によってプラテンローラ５に押し付けられ、それによって印字に適したヘッド圧が生成される。
【００１９】
（２）開閉カバーのカバーロック機構の構成
本実施形態のプリンタ１は、付勢部材としてのコイルばね６１の付勢力に対する反発力を利用して、筐体２を開放した開閉カバー３に対する押下操作によって係合溝２０と係合部材３０をロックさせて筐体２を閉鎖し、筐体２を閉鎖した開閉カバー３に対する押下操作によって係合溝２０と係合部材３０のロックを解除させて筐体２を開放するカバーロック機構を備える。
このカバーロック機構について、図４を参照して説明する。図４は、本実施形態に係るプリンタ１において、開閉カバー３を閉鎖状態とするときの斜視拡大図である。
図４に示すように、係合溝２０Ｒは、筐体２の側壁２ｗの先端近傍に形成されており、全体として逆Ｍの字形状の溝をなしている。本実施形態では、係合溝２０Ｒよりも後方にプラテンローラ５が設けられているが、この構成に限定されない。つまり、係合溝２０Ｒとプラテンローラ５の前後関係は逆にしてもよい。
【００２０】
開閉カバー３において係合溝２０に対応して設けられている係合部材３０Ｒは、係合ピン３１とコイルばね３２とを含む。係合ピン３１は、係合溝２０内を移動可能な係合体の一例である。係合ピン３１は、係合部材３０Ｒの取付軸３０Ｃからオフセットして形成されており、開閉カバー３が閉じられたときに少なくとも一部が係合溝２０に入り込む。コイルばね３２は、係合ピン３１を軸方向の外側に付勢する。つまり、係合ピン３１が取付軸３０Ｃに沿って押下げられると係合ピン３１を元の位置に戻そうとする付勢力（つまり、ばねの復元力）が働くようになっている。
【００２１】
以下の説明において、係合部材３０の係合ピン３１が係合溝２０内に入っている状態を、係合溝２０と係合部材３０が係合した状態、又は、係合溝２０と係合ピン３１が係合した状態という。係合ピン３１が係合溝２０内のロック位置に位置する状態を、係合溝２０と係合部材３０がロックした状態、又は、係合溝２０と係合ピン３１がロックした状態という。
【００２２】
係合ピン３１が係合溝２０の最も奥の位置（最も低い位置）まで移動した場合には、開閉カバー３に設けられたギア４１が、プラテンローラ５のギア５１に嵌合してプラテンローラ５を順方向に回転させるように構成されている。ギア４１とギア５１の組合せは、ローラ回転機構の一例である。
サーマルヘッド６の裏側（つまり、プラテンローラ５の反対側）には、１または複数のコイルばね６１（付勢部材の一例）が設けられる。コイルばね６１は、サーマルヘッド６をプラテンローラ５に押し付ける付勢力を生じさせる。同時に、この付勢力の反作用としてプラテンローラ５からサーマルヘッド６に向かう方向に反発力が生ずる。後述するが、この反発力によって、係合部材３０の係合ピン３１が係合溝２０のロック位置（後述する）に維持される。
【００２３】
（３）開閉カバーのロックおよびロックの解除
次に、開閉カバー３のロックおよびロックの解除について、図５〜図９を参照して説明する。図５および図６は、開閉カバーを閉鎖させるときの係合ピンと係合溝の係合状態を説明する図である。図７は、開閉カバーが閉鎖した状態での係合ピンと係合溝の係合状態を説明する図である。図８および図９は、開閉カバーを開放させるときの係合ピンと係合溝の係合状態を説明する図である。図５〜図９は順に、開閉カバー３がロックするまでの過程と、ロックが解除されるまでの過程とを示している。
【００２４】
各図に記載されている係合溝２０は、第１溝領域２１、第２溝領域２２、第３溝領域２３、および、第４溝領域２４からなる。
第１溝領域２１は、係合ピン３１の入口ｂ１から境界ｂ２までの溝領域である。第２溝領域２２は、境界ｂ２から境界ｂ３までの溝領域である。第３溝領域２３は、境界ｂ３から境界ｂ４までの溝領域である。第４溝領域２４は、境界ｂ４から出口ｂ５までの溝領域である。
第１溝領域２１では、入口ｂ１において最も溝が深く、境界ｂ２にいくにつれて溝が浅くなっている。境界ｂ２を境にして溝が深くなるが、第２溝領域２２は全体として溝の深さ概ね一定である。境界ｂ３を境にして溝がさらに深くなるが、第３溝領域２３は全体として溝の深さ概ね一定である。境界ｂ４を境にして溝がさらに深くなるが、第４溝領域２４は全体として溝の深さ概ね一定である。
【００２５】
（３−１）係合ピン３１が係合溝２０へ導入される場合（図５Ａ，図５Ｂ）
開放状態の開閉カバー３をその上面からオペレータの手で押下げていくと、図５Ａに示すように、係合部材３０の係合ピン３１が係合溝２０の第１溝領域２１の入口ｂ１に導入される。この時点では、図５Ｂに示すように、サーマルヘッド６はプラテンローラ５に接触せず、開閉カバー３のギア４１はプラテンローラ５のギア５１に接触していない。
【００２６】
（３−２）係合ピン３１が係合溝２０に最も深く進入した場合（図６Ａ，図６Ｂ）
図６Ａに示すように、開閉カバー３をその上面からオペレータの手でさらに押下げていくと、係合ピン３１は境界ｂ２を越えて第２溝領域２２の最も下方に変位する。このとき、境界ｂ２を境にして溝が深くなるが、係合部材３０のコイルばね３２の付勢力によって第２溝領域２２の溝の表面に追従して係合ピン３１が下方に進み、押下を止めたとしても第１溝領域２１に逆行することはない。
係合ピン３１が第２溝領域２２の最も下方の位置に達すると、コイルばね６１が最も縮みサーマルヘッド６に与えられる付勢力が最大になる。
このとき、図６Ｂに示すように、ギア４１がギア５１に嵌合してプラテンローラ５のギア５１を図６Ｂの反時計回りに回転させる。ギア５１の反時計回りの回転によってプラテンローラ５が順方向に回転するため、プラテンローラ５の上流側で印字媒体の弛みが生じている場合には、その弛みが解消する。
【００２７】
（３−３）係合ピン３１がロック位置に達した場合（図７Ａ，図７Ｂ）
図６Ａに示した状態では係合ピン３１がさらに下方に進むことはできないため、オペレータは開閉カバー３の押下げを止め、開閉カバー３から手を離す。すると、コイルばね６１の付勢力Ｆ１に対する反発力Ｆ２によって開閉カバー３が上方に移動する。その結果、係合ピン３１は、第２溝領域２２の境界ｂ２の壁に沿って上方に移動し、境界ｂ３を越えて、第２溝領域２２より深い第３溝領域２３に移動する。このとき、境界ｂ３を境にして溝が深くなるが、係合部材３０のコイルばね３２の付勢力によって第３溝領域２３の溝の表面に追従して係合ピン３１が移動し、第２溝領域２２に逆行することはない。
その結果、図７Ａに示すように、係合ピン３１はコイルばね６１の付勢力Ｆ１に対する反発力Ｆ２によって、第３溝領域２３の最も上方の位置（ロック位置）で停止する。このとき、コイルばね６１の付勢力Ｆ１に対する反発力Ｆ２によって係合溝２０内のロック位置に押圧された状態となる。ロック位置近傍の溝形状は概ね逆Ｕ字状をなしており、外力が加わらない限り、ロック位置から係合ピン３１が外れることはない。すなわち、開閉カバー３が筐体２を閉鎖するときには、コイルばね６１の付勢力Ｆ１に対する反発力Ｆ２によって係合溝２０と係合部材３０のロックが維持される。
【００２８】
（３−４）係合ピン３１がロック位置から解除される場合（図８Ａ，図８Ｂ）
コイルばね６１の付勢力Ｆ１に対する反発力Ｆ２に対抗して、閉鎖状態の開閉カバー３をその上面からオペレータの手で押下げていくと、図８Ａに示すように、係合ピン３１は境界ｂ４を越えて第４溝領域２４の最も下方に変位する。係合ピン３１がこの位置に達すると、コイルばね６１が最も縮みサーマルヘッド６に与えられる付勢力が最大になる。なお、境界ｂ３を境に第３溝領域２３は第２溝領域２２よりも深くなっており、また、係合部材３０のコイルばね３２の付勢力によって係合ピン３１は溝の表面に沿って移動するため、係合ピン３１が第２溝領域２２に逆行することはない。
このとき、図８Ｂに示すように、ギア４１がギア５１に嵌合してプラテンローラ５のギア５１を図８Ｂの反時計回りに回転させる。ギア５１の反時計回りの回転によってプラテンローラ５が順方向に回転するため、プラテンローラ５の上流側で印字媒体の弛みが残っている場合には、その弛みが解消する。
【００２９】
（３−５）係合ピン３１が係合溝２０から離れる場合（図９Ａ，図９Ｂ）
図８Ａに示した状態では係合ピン３１がさらに下方に進むことはできないため、オペレータは開閉カバー３の押下げを止め、開閉カバー３から手を離す。すると、コイルばね６１の付勢力に対する反発力によって開閉カバー３が上方に移動する。このとき、境界ｂ４を境に第４溝領域２４は第３溝領域２３よりも深くなっており、また、係合部材３０のコイルばね３２の付勢力によって係合ピン３１は溝の表面に沿って移動するため、係合ピン３１が第３溝領域２３に逆行することはない。
その結果、図９Ａに示すように、係合ピン３１は、第４溝領域２４の壁に沿って上方に移動し、出口ｂ５から係合溝２０を離れる。
すなわち、開閉カバー３が筐体２を開放するときには、コイルばね６１の付勢力に対する反発力に対抗する、開閉カバー３に対する押下操作によって、係合溝２０と係合部材３０のロックが解除される。
【００３０】
以上説明したように、本実施形態のプリンタ１では、開閉カバー３による収容室ＲＳの開放または閉鎖は、開閉カバー３に対する押下操作に応じた係合溝２０と係合部材３０のロックの維持、またはロックの解除によって行われ、開閉カバー３が収容室ＲＳを閉鎖しているときには、コイルばね６１の付勢力に対する反発力によって係合溝２０と係合部材３０のロックが維持される。そのため、開閉カバー３の開閉がワンタッチ操作によって可能であり、開閉カバー３を開放または閉鎖するときの操作性を高めることができる。
【００３１】
（４）変形例
本実施形態の変形例について、以下説明する。
【００３２】
（４−１）変形例１
上述した実施形態において、開閉カバー３を閉鎖するときに、係合ピン３１を係合溝２０の出口ｂ５ではなく入口ｂ１から確実に進入することを目的として、開閉カバー３に係合ピン３１を支持するための支持部３５を設けてもよい。この支持部３５の機能について、図１０を参照して説明する。
図１０は、支持部３５を用いた、係合ピン３１のセルフセンタリング機能について説明する図である。図１０に示すように、開閉カバー３において係合部材３０の外側に支持部３５が設けられる。この支持部３５は、係合ピン３１の折り曲げ部３１ｂが当接可能に設けられている。図１０Ａは、係合ピン３１が支持部３５の中心位置３５１ｃにある、係合ピン３１の安定状態を示している。図１０Ｂは、何らかの外力が働いて係合ピン３１がセンタ位置３５１ｃからずれた状態を示している。
図１０に示すように、支持部３５は、センタ位置３５１ｃにおいて板厚が最も薄く、係合部材３０の取付軸３０Ｃから遠ざかるにつれて板厚が徐々に厚くなる傾斜壁３５１ｄを有する。図１０Ｂに示すように、係合ピン３１の折り曲げ部３１ｂがセンタ位置３５１ｃからずれて傾斜壁３５１ｄに移動すると、センタ位置３５１ｃよりも傾斜壁３５１ｄの厚みが大きいため、コイルばね３２が縮み、図中の矢印の向きの復元力ｆが発生する。この復元力ｆにより係合ピン３１の折り曲げ部３１ｂは傾斜壁３５１ｄに当接しながら中心位置３５１ｃに向けて摺動し、再び図１０Ａに示すセンタ位置３５１ｃに戻る。
以上のように、支持部３５によって、係合ピン３１のセルフセンタリング機能が働き、係合ピン３１は、取付軸３０Ｃ回りの外力を受けてもセンタ位置３５１ｃに戻る。係合ピン３１がセンタ位置３５１ｃに位置する限り、開閉カバー３を閉じたときに、係合溝２０の入口ｂ１から係合溝２０に進入するように、係合溝２０の入口ｂ１と係合ピン３１とが位置決めされている。
【００３３】
（４−２）変形例２
本実施形態のプリンタ１では、開閉カバー３の上面の任意の場所をユーザが手で押下操作を行うことで、ワンタッチで開閉が可能となるが、開閉カバー３の上面にタッチパネル３ａが設けられているため、意図せずに誤操作を生じさせる可能性がある。例えば、タッチパネル３ａの画面内の操作を行っているときに、誤って開閉カバー３が開放状態となってしまうことは防止されるのが好ましい。
【００３４】
そこで、本変形例では、ユーザがタッチパネル３ａを操作していることを検出した場合には、係合溝２０と係合部材３０の係合が解除されないように制御される。
本変形例を実現するために、プリンタ１は、タッチパネル３ａに対するタッチ入力が行われているか否かを検出する検出部と、検出部によってタッチ入力が行われていることが検出された場合、係合溝２０と係合部材３０の間の係合が解除されないように制御する制御部と、を備える。制御部は、マイクロコントローラと駆動回路を含む。
検出部は、例えばタッチパネル３ａの入出力インタフェース回路を含む。
【００３５】
係合溝２０と係合部材３０の間の係合が解除されないようにするために、例えば、係合溝２０の第３溝領域２３または第４溝領域２４に向けて、係合ピン３１が通過できないようにするためのストッパピン２６を、筐体２の側壁２ｗから突出させてもよい。その一例を図１１に示す。図１１Ａは、ストッパピン２６を係合溝２０に突出させる前の係合溝２０の側面を示し、図１１Ｂは、ストッパピン２６を係合溝２０に突出させた後の係合溝２０の側面を示している。図１１に示す例では、側壁２ｗ内のストッパピン２６を第３溝領域２３に向けて上方に突出させることで、係合ピン３１が係合溝２０の出口へ向かう溝通路を塞ぎ、係合ピン３１が係合溝２０から外れることを防止する。
【００３６】
本変形例では、制御部は、タッチ入力が行われていることを検出した場合、ストッパピン２６を突出させる。また、制御部は、タッチ入力が行われていることを検出しなくなってから所定時間経過した後に、ストッパピン２６を元の位置に戻す。
【００３７】
以上、本発明の実施形態について詳細に説明したが、本発明のプリンタは上記実施形態に限定されず、本発明の主旨を逸脱しない範囲において、種々の改良や変更をしてもよいのは勿論である。
例えば、上述した実施形態では、ギア４１とプラテンローラ５のギア５１とを嵌合させるローラ回転機構を備えた場合について説明したが、その限りではない。ローラ回転機構を備えていない場合であっても、開閉カバー３を開放または閉鎖するときの操作性を高めることができるという効果を奏することができる。
上述した実施形態では、開閉カバー３にサーマルヘッド６が設けられ、筐体２にプラテンローラ５が設けられる場合について説明したが、その場合に限られない。開閉カバー３の閉鎖時にプラテンローラ５とサーマルヘッド６が対向して配置される限り、プラテンローラ５とサーマルヘッド６の取り付け位置は問わない。例えば、開閉カバー３にプラテンローラ５が設けられ、筐体２にサーマルヘッド６が設けられてもよい。
【符号の説明】
【００３８】
１…プリンタ
２…筐体
２ｗ…側壁
３…開閉カバー
３ａ…タッチパネル
４…載置部
５…プラテンローラ
６…サーマルヘッド
６１…コイルばね
７…排出口
１２…シャフト
４１，５１…ギア
２０Ｒ，２０Ｌ…係合溝
２１…第１溝領域
２２…第２溝領域
２３…第３溝領域
２４…第４溝領域
２６…ストッパピン
３０Ｒ，３０Ｌ…係合部材
３０Ｃ…取付軸
３１…係合ピン
３２…コイルばね
３５…支持部
ＲＳ…収容室
Ｒ…ロール紙
【図１】
2020128095.tif 000003
【図２】
2020128095.tif 000004
【図３】
2020128095.tif 000005
【図４】
2020128095.tif 000006
【図５】
2020128095.tif 000007
【図６】
2020128095.tif 000008
【図７】
2020128095.tif 000009
【図８】
2020128095.tif 000010
【図９】
2020128095.tif 000011
【図１０】
2020128095.tif 000012
【図１１】
2020128095.tif 000013
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
第１係合部が設けられた筐体と、
前記筐体を閉鎖または開放し、第２係合部が設けられたカバーと、
印字媒体を搬送する搬送ローラと、
前記搬送ローラに対向して設けられ、前記印字媒体に印字を行う印字ヘッドと、
前記印字ヘッドを前記搬送ローラに押圧するための付勢力を与える付勢部材と、
前記付勢部材の付勢力に対する反発力を利用して、前記筐体を開放した前記カバーに対する第１方向の押下操作によって前記第１係合部と前記第２係合部をロックさせて前記筐体を閉鎖し、前記筐体を閉鎖した前記カバーに対する前記第１方向の押下操作によって前記第１係合部と前記第２係合部のロックを解除させて前記筐体を開放するカバーロック機構と、を備えたプリンタ。
【請求項２】
前記カバーが前記筐体を閉鎖するときには、前記付勢部材の付勢力に対する反発力によって前記第１係合部と前記第２係合部のロックが維持される、請求項１に記載のプリンタ。
【請求項３】
前記第１係合部は、係合溝を有し、
前記第２係合部は、前記係合溝内を移動可能な係合体を有し、
前記カバーが前記筐体を開放しているときに、前記カバーに対する前記第１方向の押下操作によって、前記係合体が前記付勢力に対する反発力によって前記係合溝内のロック位置に押圧された状態となったとき、前記第１係合部と前記第２係合部のロックが維持される、請求項２に記載のプリンタ。
【請求項４】
前記係合体は、係合ピンであり、
前記カバーが前記筐体を開放しているときに、前記カバーに対する前記第１方向の押下操作によって、前記係合ピンが、前記係合溝に進入し、前記係合溝の表面に沿って前記係合溝内を進み、前記係合溝内のロック位置で停止することで、前記第１係合部と前記第２係合部のロックが維持される、請求項３に記載されたプリンタ。
【請求項５】
前記係合ピンが前記ロック位置に停止している状態において、前記係合ピンは、前記カバーに対する前記第１方向の押下操作によって、前記ロック位置から前記第１方向に移動可能である、請求項４に記載されたプリンタ。
【請求項６】
前記カバーが前記筐体を開放するときには、前記付勢部材の付勢力に対する反発力に対抗する、前記カバーに対する前記第１方向の押下操作によって、前記第１係合部と前記第２係合部のロックが解除される、請求項１に記載のプリンタ。
【請求項７】
前記第１係合部は、係合溝を有し、
前記第２係合部は、前記係合溝内を移動可能な係合体を有し、
前記カバーが前記筐体を閉鎖しているときに、前記係合体を前記係合溝内のロック位置に押圧する前記付勢力に対する反発力に対抗する、前記カバーに対する前記第１方向の押下操作によって、前記第１係合部と前記第２係合部のロックが解除される、請求項６に記載のプリンタ。
【請求項８】
前記係合体は、係合ピンであり、
前記カバーが前記筐体を閉鎖しているときに、前記カバーに対する前記第１方向の押下操作によって、前記係合ピンが、前記ロック位置から移動し、前記係合溝の表面に追従して前記係合溝内を進み、前記係合溝から離れることで、前記第１係合部と前記第２係合部のロックが解除される、請求項７に記載されたプリンタ。
【請求項９】
前記印字ヘッドは、前記カバーに取り付けられており、
前記第１方向は、前記印字ヘッドが前記搬送ローラに向かう方向である、請求項１ないし８に記載されたプリンタ。
【請求項１０】
前記第１方向は、前記カバーの上面から下方に向かう方向である、請求項１ないし８に記載されたプリンタ。
【請求項１１】
前記付勢部材が前記印字ヘッドを押圧し、それによって前記印字ヘッドを前記搬送ローラに押圧する、請求項１ないし１０に記載されたプリンタ。
【請求項１２】
前記付勢部材は、前記印字ヘッドの印字面とは反対側の面において前記印字ヘッドを押圧する、請求項１１に記載されたプリンタ。
【請求項１３】
前記カバーによって前記筐体を開放した状態から閉鎖した状態へ移行するまでの間に、前記搬送ローラを順方向に回転させるローラ回転機構を備えたことを特徴とする、請求項１ないし１２に記載されたプリンタ。
【請求項１４】
前記カバーの上面に設けられたタッチパネルと、
前記タッチパネルに対するタッチ入力が行われているか否かを検出する検出部と、
前記検出部によってタッチ入力が行われていることが検出された場合、前記第１係合部と前記第２係合部の係合が解除されないように制御する制御部と、
をさらに備えたことを特徴とする、請求項１ないし１３に記載されたプリンタ。
【手続補正２】
【補正対象書類名】明細書
【補正対象項目名】０００６
【補正方法】変更
【補正の内容】
【０００６】
本開示の一観点は、第１係合部が設けられた筐体と、
前記筐体を閉鎖または開放し、第２係合部が設けられたカバーと、
印字媒体を搬送する搬送ローラと、
前記搬送ローラに対向して設けられ、前記印字媒体に印字を行う印字ヘッドと、
印字ヘッドを搬送ローラに押圧するための付勢力を与える付勢部材と、
前記付勢部材の付勢力に対する反発力を利用して、前記筐体を開放した前記カバーに対する第１方向の押下操作によって前記第１係合部と前記第２係合部をロックさせて前記筐体を閉鎖し、前記筐体を閉鎖した前記カバーに対する前記第１方向の押下操作によって前記第１係合部と前記第２係合部のロックを解除させて前記筐体を開放するカバーロック機構と、
を備えたプリンタである。